(57)【要約】【課題】様々な用途に利用でき、使い勝手が良く実用的な多用途脱着バンドを提供する。【解決手段】所定の幅と長さで設けられ手首又は腕の一部に巻き付けて着脱自在に装着されるバンド本体１２と、バンド本体１２の外表面に取り付けられる機能器体１４と、機能器体１４をバンド本体１２の外表面に対して水平旋回自在とするとともに該機能器体１４をバンド本体に着脱自在に取り付ける着脱旋回装置１６と、を備えた多用途脱着バンド１０から構成される。必要に応じて、機能器体１４の方向を変えたり、バンド本体１２に対して着脱したり、又は別機能の異なる機能器体１４と交換したりしながら、用途に応じて広く利用することができる。【選択図】図１
0003182688.tif 000002
【実用新案登録請求の範囲】
【請求項１】
所定の幅と長さで設けられ手首又は腕の一部に巻き付けて着脱自在に装着されるバンド本体と、
バンド本体の外表面に取り付けられる機能器体と、
機能器体をバンド本体の外表面に対して水平旋回自在とするとともに該機能器体をバンド本体に着脱自在に取り付ける着脱旋回装置と、を備えたことを特徴とする多用途脱着バンド。
【請求項２】
着脱旋回装置は、機能器体とバンド本体とにそれぞれ設けられる凹部と凸部とを互いに嵌合させて着脱自在に接続するスナップボタン装置で構成されたことを特徴とする請求項１記載の多用途脱着バンド。
【請求項３】
バンド本体の外表面には、スナップボタン装置の凹部又は凸部が所定の離隔間隙で複数個配置されたことを特徴とする請求項２記載の多用途脱着バンド。
【請求項４】
バンド本体の外表面には、長さを測るための目盛がバンド本体の長手方向に沿って表示されることを特徴とする請求項１ないし３のいずれかに記載の多用途脱着バンド。
【請求項５】
機能器体は裁縫道具、文房具、工具、その他の軽量小物であることを特徴とする請求項１ないし４のいずれかに記載の多用途脱着バンド。
【請求項６】
機能器体は、針山を巻尺のケースに取り付けて一体化した針山付き巻尺からなることを特徴とする請求項１ないし５のいずれかに記載の多用途脱着バンド。
【考案の詳細な説明】
【技術分野】
【０００１】
本考案は、多くの用途に利用できる多用途脱着バンドに関する。
【背景技術】
【０００２】
長さを測定するために利用されるメジャーは、裁縫、家具や機器等の採寸、その他、日常生活、機械加工、建築などの作業で広く利用されているが、携帯し忘れたり、置き忘れたりしてどこに置いたか不明になる場合もある。また、メジャーは、工具箱や収納袋、衣類のポケットに入れて持ち運ぶ場合があるが、測定の度に出し入れする必要があることから、面倒で不便である問題があった。それに対して本出願人は特許文献１において、メジャーの携帯性や使い勝手を良くするために、人の手首や上腕などに着脱容易なリストバンドにメジャーを組み付けて一体化する技術を提案した。これにより、携帯性が良く必要な際にはいつでも迅速に計測が行えるとともに、移動しながらの測定や、立体構造等でも被測定物の形状にも合わせて測定することができ、従来のメジャーよりも使い勝手を向上できるものであった。
【先行技術文献】
【特許文献】
【０００３】
【特許文献１】特開２０１０−６０５４７号公報
【考案の概要】
【考案が解決しようとする課題】
【０００４】
例えば、裁縫や衣類の採寸等ではメジャーのみならず、針や糸、その他の道具も同時に使用する場合が多い。しかしながら、特許文献１のメジャーは、長さを測定する道具としては使い勝手が良く実用性に優れているが、用途が長さの測定に限定される。また、例えば、比較的長いものや大きいものの長さや距離を測定する必要がある場合など、身体から取り外して測定する必要があるなどの場合にはリストバンドが邪魔になったり、逆にメジャーを使用しない作業の場合にはメジャーが邪魔になるおそれがあった。
【０００５】
本考案は上記従来の課題に鑑みてなされたものであり、その一つの目的は、様々な用途に広く利用でき、使い勝手が良く実用的な多用途脱着バンドを提供することにある。
【課題を解決するための手段】
【０００６】
上記課題を解決するために本考案は、所定の幅と長さで設けられ手首又は腕の一部に巻き付けて着脱自在に装着されるバンド本体１２と、バンド本体１２の外表面に取り付けられる機能器体１４と、機能器体１４をバンド本体１２の外表面に対して水平旋回自在とするとともに該機能器体１４をバンド本体に着脱自在に取り付ける着脱旋回装置１６と、を備えた多用途脱着バンド１０から構成される。
【０００７】
また、着脱旋回装置１６は、機能器体１４とバンド本体１２とにそれぞれ設けられる凹部３６と凸部３４とを互いに嵌合させて着脱自在に接続するスナップボタン装置２８で構成されたこととしてもよい。
【０００８】
また、バンド本体１２の外表面には、スナップボタン装置２８の凹部３６又は凸部３４が所定の離隔間隙で複数個配置されたこととしてもよい。
【０００９】
また、バンド本体１２の外表面には、長さを測るための目盛１８がバンド本体１２の長手方向に沿って表示されることとしてもよい
【００１０】
また、機能器体１４は裁縫道具、文房具、工具、その他の軽量小物であることとしてもよい。
【００１１】
また、機能器体１４は、針山２４を巻尺２２のケース２２ｂに取り付けて一体化した針山付き巻尺２６からなることとしてもよい。
【考案の効果】
【００１２】
本考案の多用途脱着バンドによれば、所定の幅と長さで設けられ手首又は腕の一部に巻き付けて着脱自在に装着されるバンド本体と、バンド本体の外表面に取り付けられる機能器体と、機能器体をバンド本体の外表面に対して水平旋回自在とするとともに該機能器体をバンド本体に着脱自在に取り付ける着脱旋回装置と、を備えたことから、様々な用途に応じた機能器体を手軽に携行できるとともに、機能器体を使用する必要がある場合には迅速に使用できる。その際、機能器体の向きを随時所望の向きに変更させながら使用でき便利である。その上、機能器体をバンド本体から取り外して使用することもできる。また、例えば、機能が異なる複数種類の機能器体を用意しておくと、必要に応じてバンド本体に取り付ける機能器体を着脱交換しながら利用することもできる。したがって、自由度が高く多くの用途に対応して利用することができ、使い勝手が良く実用性が高い。
【００１３】
また、着脱旋回装置は、機能器体とバンド本体とにそれぞれ設けられる凹部と凸部とを互いに嵌合させて着脱自在に接続するスナップボタン装置で構成されたことから、簡単な構造で着脱旋回装置を具体的に実現でき、機能器体のバンド本体に対する着脱操作を確実にかつ短時間でワンタッチで行なえるとともに、旋回操作も簡単、スムーズに行える。
【００１４】
また、バンド本体の外表面には、スナップボタン装置の凹部又は凸部が所定の離隔間隙で複数個配置された構成とすることにより、機能器体のバンド本体に対する取付位置を変更したり、１つのバンド本体に複数の機能器体を取り付けたりすることができ、より使い勝手が向上する。
【００１５】
また、バンド本体の外表面には、長さを測るための目盛がバンド本体の長手方向に沿って表示される構成とすることにより、バンド本体を利用して手軽に長さを測定できる。その際、バンド本体の目盛のみを利用して測定できるし、該バンド本体の目盛と機能器体と協働させて利用することもできる。
【００１６】
また、機能器体は裁縫道具、文房具、工具、その他の軽量小物であることから、利用態様に応じて種々のものを取り付けて多用途に利用できる。
【００１７】
また、機能器体は、針山を巻尺のケースに取り付けて一体化した針山付き巻尺からなる構成とすることにより、例えば、裁縫や衣類の採寸等で同時に使用する巻尺と針山を同時にまとめて携帯して使用でき、利便性を向上できる。
【図面の簡単な説明】
【００１８】
【図１】本考案の第１の実施形態に係る多用途脱着バンドの斜視図である。
【図２】図１の多用途脱着バンドの側面図である。
【図３】図１の多用途脱着バンドを伸ばした状態での分解説明図である。
【図４】図１の多用途脱着バンドを伸ばした状態での平面図である。
【図５】図１の多用途脱着バンドの機能器体をバンド本体から取り外した状態の説明図である。
【図６】図１の多用途脱着バンドの作用説明図である。
【図７】図１の多用途脱着バンドの作用説明図である。
【図８】本考案の第２の実施形態に係る多用途脱着バンドの説明図である。
【考案を実施するための形態】
【００１９】
以下、添付図面を参照しつつ本考案の多用途脱着バンドの実施の形態について説明する。本考案の多用途脱着バンドは、例えば、裁縫道具や文房具、工具等の機能器体を携帯及び使用するのに便利な機能器体組み付け形のバンド装置である。図１ないし図７は、本考案の多用途脱着バンドの第１の実施形態を示している。図１、図２、図３に示すように、本実施形態において、多用途脱着バンド１０は、バンド本体１２と、機能器体１４と、着脱旋回装置１６と、を備えている。
【００２０】
図１、図２、図７に示すように、バンド本体１２は、所定の幅と長さで設けられた帯状体であり、手首又は腕の一部に巻き付けて着脱自在に装着される。本実施形態では、バンド本体１２は、例えば、幅が約３ｃｍ程度、長さが３０ｃｍ程度で設けられ、略輪状に湾曲して巻き付ける状態と、直線状に伸ばした状態（図３、図４参照）と、に変形でき、手首や腕の一部等へ着脱自在となっている。なお、バンド本体１２の幅や長さは使用者の体格や機能器体１４の大きさ形状等に応じて任意に設定してもよい。バンド本体１２は、例えば、巻き込み状に湾曲して略輪状となるように弾性付勢されるとともに直線状に伸ばすとその状態で保持されるように加工された断面が凸のばね鋼を芯材とし、その周囲を合成樹脂製の可撓性カバーで被覆して構成されている。バンド本体１２の芯材は、一部を巻き付け方向に曲げると自動的に巻き付き方向に湾曲して両端部を重ねて略輪状に変形するように湾曲付勢する。この芯材の巻き付き方向への湾曲付勢によって手首や腕の一部等への装着状態が保持される。バンド本体１２のカバーは、例えば、全体又はその一部が蛍光性素材で形成されるとともに、バンド本体１２を手首等に装着した状態で外面側となる外表面には花柄等の任意の模様又はアクセサリなどで装飾１９が施されている。なお装飾１９は、図上ではバンド本体１２の一部にしか記載していないが、バンド本体１２の外表面の略全面に施される。バンド本体１２に装飾１９等を施すことで、デザイン性及び意匠感を向上させ、ブレスレッドのようなアクセサリ感覚でも使用できる。なお、バンド本体１２は、例えば、布、革、合成樹脂等その他任意の素材で形成してもよい。また、バンド本体１２は、伸縮性のあるゴムで形成してもよい。また、バンド本体１２は、手首等に巻き付けた状態で、面ファスナやボタン、バックル等で留めて装着するような構成としても良い。
【００２１】
図４にも示すように、バンド本体１２の外表面には、長さを測るための目盛１８が長手方向に沿って表示されている。この目盛１８により、バンド本体１２を手首等から取り外して、被測定物にバンド本体１２をあてがってその長さを測定することができる。なお、本実施形態のようにバンド本体１２に目盛１８を表示する場合には、伸縮性の無い素材で形成するほうが好適である。バンド本体１２の長手方向の一端側にはバンド面を貫通した貫通孔２０が設けられており、貫通孔２０を介して多用途脱着バンド１０を壁や机等に設けられたフック等に引掛けておくことができる。
【００２２】
図１、図２、図３に示すように、機能器体１４は、例えば、使用者が利用する任意の機能を備えた道具類であり、バンド本体１２の外表面に取り付けられる。本実施形態では、機能器体１４は、例えば、巻尺２２と針山２４とが一体的に組み付けられた針山付き巻尺２６からなり、バンド本体１２の長手方向中間位置に着脱旋回装置１６を介して取り付けられている。巻尺２２と針山２４は、例えば、裁縫や衣類の採寸等を行う場合に同時に使用されることが多く、これらを一体化したものは裁縫や採寸等の用途では極めて便利である。巻尺２２は、図７にも示すように、例えば、金属製又は布製、合成樹脂製等で目盛が表示された可撓性の細帯状物指し部２２ａを巻いた状態で中空のケース２２ｂ内に繰り出し・巻き取り自在に収容されている。巻尺２２は、ケース２２ｂ内部のバネ等により自動で細帯状物指し部２２ａを巻き込み、細帯状物指し部２２ａの先端のツメ部で止まるようになっている。なお、巻尺２２は、細帯状物指し部を所定の長さを引き出した状態で留めておくロック装置を有するものでもよい。また、巻尺２２は、手動操作で細帯状物指し部２２ａをケース２２ｂ内に巻き込み収容するものでもよい。巻尺２２は、例えば、バンド本体１２に対して取付けられる側を下面側とすると、ケース２２ｂの下面側に後述の凹形スナップ部材３２が設けられ、ケース２２ｂの側方に細帯状物指し部２２ａの出し入れ口が設定されている。針山２４は、巻尺のケース２２ｂの上面側に固定されており、針２５を刺して保持できる。なお、巻尺や針山の形状や大きさは任意でもよく、例えば、種々の幾何学形状、物品や生物、キャラクターに似せた形状としたり、装飾を施したりしたものでもよい。また、機能器体１４は、針山付き巻尺に限らず、例えば、巻尺単独のもの、針山単独のもの、その他裁縫道具、文房具、工具、その他片手で持ち運びできる軽量小型の道具類のような任意の軽量小物でもよい。また、後述のように、機能器体１４は、複数を１つのバンド本体１２に取り付けるようにしてもよい。
【００２３】
図１、図５、図６に示すように、着脱旋回装置１６は、機能器体１４をバンド本体１２の外表面に対して水平旋回自在とするとともに該機能器体１４をバンド本体１２に着脱自在に取り付ける取付手段であり、機能器体１４の旋回手段と着脱手段とを兼用している。本実施形態では、機能器体１４がバンド本体１２の外表面に対して水平旋回自在とは、機能器体１４がバンド本体１２との取付部分において、該バンド本体１２の外表面に対して垂直な軸５０周りに自在に回動して、該機能器体１４の向きを回転変位できることをいう。例えば、機能器体１４が針山付き巻尺２６の場合には、巻尺２２の細帯状物指し部２２ａを引き出す方向や針山の針刺し位置の向きを変更することができる。
【００２４】
具体的には、図２、図３、図５に示すように、着脱旋回装置１６は、スナップボタン装置２８から構成されている。スナップボタン装置２８は、従来周知の衣類や鞄等に広く用いられるスナップボタンと同じ構成であり、バンド本体１２に設けられた凸形スナップ部材３０と、機能器体１４に設けられ凹形スナップ部材３２と、を含む。凸形スナップ部材３０は、バンド本体１２の外表面から垂直方向に突出した凸部３４が形成されており、その突出方向に直交する断面が略円形状となっている。凸形スナップ部材３０は、例えば、バンド本体１２の外表面において長手方向に沿って所定の離隔間隙で複数個（図上では３個）並べて配置されている。凹形スナップ部材３２は、巻尺２２のケース２２ｂの下面側の略中央位置に固定されており、凸形スナップ部材３０の凸部３４と嵌合する略円形状の凹部３６が形成されている。バンド本体１２のいずれか１つの凸形スナップ部材３０の凸部３４と、凹形スナップ部材３２の凹部３６と、を互いに嵌合することでスナップ機能により接続保持され、機能器体１４がバンド本体１２に取り付けられる。逆に、スナップボタン装置２８の凹部３６と凸部３４を強制的に引き剥がすことで機能器体１４をバンド本体１２から簡単に取り外すことができる。また、バンド本体１２側の嵌合させる凸形スナップ部材３０を異なる位置のものに変更することで、機能器体１４のバンド本体１２に対する取付位置を変更することができる。スナップボタン装置２８は、凹部と凸部とを嵌合して接続した状態では、断面円形状の凹凸部の嵌め合い状態で軸周り回転自在となっており、バンド本体１２の外表面に対して水平旋回自在な構成を具現できる。なお、バンド本体１２に設けられる凸形スナップ部材３０は１個のみでもよいし、２個又は４個以上の複数個でもよい。また、スナップボタン装置２８は、上記構成とは逆に、バンド本体１２側に凹形スナップ部材３２を設けるとともに、機能器体１４側に凸形スナップ部材３０を設けることとしてもよい。
【００２５】
次に、本実施形態に係る多用途脱着バンド１０の作用について説明する。図７に示すように、バンド本体１２を介して一方の腕の手首に装着することで、針山付き巻尺２６などの機能器体１４を常時携行することができる。そして、裁縫等で長さを測定する必要がある際には、巻尺２２の細帯状物指し部２２ａの先端のツメ部を他方の手で引き出して迅速に測定できる。この際、針山付き巻尺２６がバンド本体１２の外表面に対して旋回自在であるので、被測定物の形状に対応して自在に巻尺２２の向きを自由に変更でき、スムーズかつ正確に長さの測定を行える。また、針２５が必要な場合には針山２４から手軽に針２５を取って使用でき、使用後には針山２４に戻すことができる。複数の機能をバンド本体に一体にまとめて支持させているので便利がよい。さらに、バンド本体１２を手首から取り外して、該バンド本体１２を被測定物にあてがって、該バンド本体に表示された目盛１８で長さを測定することもできる。この際、針山付き巻尺２６とバンド本体１２の目盛１８との両方を利用した測定を行うこともできる。また、針山付き巻尺２６をバンド本体１２から離脱して、針山付き巻尺２６を両手で持って使用したり、バンド本体１２の目盛１８のみで被測定物の長さを測定することもできる。なお、手首から取り外したバンド本体１２を構造物等に巻き付けて保持させた状態で、針山付き巻尺２６により長さの測定を行うこともできる。このように、本実施形態の多用途脱着バンド１０では、針山付き巻尺２６などの機能器体１４を手軽に携行できるとともに、機能器体１４を使用する必要がある場合には手軽かつ迅速に利用ができるうえ、機能器体１４をバンド本体から取り外して使用することもできる。その結果、高い自由度で様々な用途に応じて広く利用でき、使い勝手が良く実用性が高い。
【００２６】
次に、図８を参照しつつ、本発明の多用途脱着バンド１０の第２の実施形態について説明する。上記した第１実施形態と同一構成、同一部材には、同一符号を付し、その詳細な説明は省略する。本実施形態に係る多用途バンド１０−２は、基本的には第１実施形態と同じ構成であるが、１つのバンド本体１２に複数の機能器体１４が取り付けられる。図８では、機能器体１４をバンド本体１２から分離した状態で示しているが、機能器体１４は、針山付き巻尺２６と、紙を挟むクリップ３８と、の２つを同時に取り付けて携帯及び利用できるようになっている。クリップ３８には、針山付き巻尺２６と同一の凹形スナップ部材３２が設けられている。本実施形態でも、針山付き巻尺２６やクリップ３８のバンド本体１２への取付位置を変更できる。本実施形態でも上記実施形態同様の作用効果を奏することができるとともに、異なる機能を有する複数の機能器体１４をまとめて支持した状態で携行したり使用したりでき、さらに使い勝手を向上できる。なお、２つの機能器体１４を同時に取り付ける場合に限らず、必要に応じて針山付き巻尺２６と、紙を挟むクリップ３８と、を着脱交換しながら使用するようにしてもよい。本実施形態においても、機能器体１４は、針山付き巻尺とクリップに限らず、裁縫道具、文房具、工具、その他片手で持ち運びできる軽量小型の道具類のような任意の軽量小物でもよい。
【００２７】
以上説明した本考案の多用途脱着バンドは、上記した実施形態のみの構成に限定されるものではなく、実用新案登録請求の範囲に記載した本考案の本質を逸脱しない範囲において、任意の改変を行ってもよい。
【産業上の利用可能性】
【００２８】
本考案の多用途脱着バンドは、裁縫道具、文房具、工具等、その他軽量小物や軽量道具を携帯しながら使用するのに好適である。
【符号の説明】
【００２９】
１０    多用途脱着バンド
１２    バンド本体
１４    機能器体
１６    着脱旋回装置
１８    目盛
２６    針山付き巻尺
２８    スナップボタン装置
３４    凸部
３６    凹部
３８    クリップ
【図１】
0003182688.tif 000003
【図２】
0003182688.tif 000004
【図３】
0003182688.tif 000005
【図４】
0003182688.tif 000006
【図５】
0003182688.tif 000007
【図６】
0003182688.tif 000008
【図７】
0003182688.tif 000009
【図８】
0003182688.tif 000010